(57)【要約】【課題】  リード線の両端にあるマウス本体とコネクタとを一体に結合させ、携帯や収納がし易いようにマウスが使用されない状態での占め空間を縮減させるためのマウス収納用位置決め構造を提供する。【解決手段】  マウスの収納位置決め構造は、表面には第１の位置決め部が設置されたマウス本体と、前記マウス本体から延びられたリード線と、前記リード線の末端に設置され、その表面に前記第１の位置決め部に対応して第２の位置決め部が設けられたコネクタとを含む。前記構造にするように、使用者が使用を終了してパソコンホストの差込口から前記コネクタを取外すと、前記マウス本体の第１の位置決め部と前記コネクタの第２の位置決め部を対応に結合させることによって、前記コネクタを前記マウス本体の表面に位置決め、リード線の両端におけるマウス本体とコネクタとを一体に結合させ、携帯や収納し易いようにする。【選択図】      図１
0003133554.tif 000002
【実用新案登録請求の範囲】
【請求項１】
表面には第１の位置決め部が設置されたマウス本体と、
前記マウス本体から延びられたリード線と、
前記リード線の末端に設置され、表面に前記第１の位置決め部に対応して第２の位置決め部が設けられたコネクタとを含むマウス収納用位置決め構造。
【請求項２】
前記マウス本体の表面には、リード線を収納するための収納溝が環装されたことを特徴とする請求項１に記載のマウス収納用位置決め構造。
【請求項３】
前記コネクタの後端には線巻取装置が設けられ、リード線の末端がこの線巻取装置内に固定され、前記線巻取装置によりリード線を巻き取ることを特徴とする請求項１に記載のマウス収納用位置決め構造。
【請求項４】
前記第２の位置決め部が、前記線巻取装置の底部に設けられたことを特徴とする請求項３に記載のマウス収納用位置決め構造。
【請求項５】
前記第１の位置決め部は係止溝であり、前記第２の位置決め部が第１の位置決め部に対応するスライド部であることを特徴とする請求項１に記載のマウス収納用位置決め構造。
【請求項６】
前記マウス本体の底面には第１の位置決め部が設置されたことを特徴とする請求項１に記載のマウス収納用位置決め構造。
【請求項７】
前記コネクタの底面には第２の位置決め部が設置されたことを特徴とする請求項１に記載のマウス収納用位置決め構造。
【請求項８】
前記コネクタは、USB規格のコネクタであることを特徴とする請求項１に記載のマウス収納用位置決め構造。
【考案の詳細な説明】
【技術分野】
【０００１】
本考案は、マウス収納用位置決め構造に係わり、特に、リード線の両端にあるマウス本体とコネクタとを一体に結合させ、携帯や収納がし易いようにマウスが使用されない状態での占め空間を縮減させるためのマウス収納用位置決め構造に関する。
【背景技術】
【０００２】
科学技術の進歩及び発展に伴い、パソコンホストは、人類生活において不可欠な一部になっており、入力装置は、パソコンホストに必要とする周辺設備であって、パソコンホストの機能の日進月歩に合わせる為、入力装置（例えば、マウス、キーボードなど）も続々と更新、研究開発され、より実用に適するように求められており、マウスやキーボードを例とし、多量の文字入力を除き、マウスの使用頻度がキーボードより高くなり、マウスが最大な自由度および操作性を持つため、体積膨大なキーボードを補助し又はその取替えになることが出来、特に、マルチメディアおよびインターネットへの応用について、マウスは、掛け替えのない存在になっている。
【０００３】
現在、市販されているワイヤ付きマウスは、主にマウス本体を有し、このマウス本体からリード線が延びられ、このリード線の末端にコネクタが接続される。
【０００４】
以上のような構造を使用する際、使用者が、コネクタをパソコンホストへ差込み、リード線の伝送によってマウス本体とパソコンホストを接続させ、マウスを取り扱うことでパソコンホストへ指令を入力させ、パソコンホストの運行を制御する。
【０００５】
しかしながら、電子科学技術の発展が、常に、使用者の要求に従っており、マウスの携帯性が使用者に重視されている項目になった。非使用状態の時に携帯や収納し易いようにするため、現在のマウスがいずれもマウス本体のコンパクト性への研究開発について力を入れておいた。しかし、上記の従来構造のように、マウス本体のサイズを幾ら減少させても、マウス本体にはリード線、リード線の末端にはコネクタがそれぞれ接続されることは、終始、使用者が最も整理、収納し難い部分であり、特に、コネクタがマウス本体に結合できないため、携帯または収納の際にマウス本体と一体に収納することが出来なく、損害し易く、かつ、相対的に空間がかかり、比較的に狭い格納空間内にまたはジャケットの袋内に放置することは出来ない。
【０００６】
そのため、本考案者は、前記従来のワイヤ付きマウスが実際使用時の欠点を鑑み、長年以来この領域で積み立てた経験により、専念な観察かつ研究をし、ようやくマウス収納用位置決め構造を開発した。
【考案の開示】
【考案が解決しようとする課題】
【０００７】
本考案の主な目的は、リード線の両端におけるマウス本体とコネクタとを一体に結合させ、使用者が携帯や収納し易いようにマウスが使用されない状態での占め空間を短縮させるためのマウス収納用位置決め構造を提供する。
【課題を解決するための手段】
【０００８】
前記目的を達成するため、本考案は、表面には第１の位置決め部が設置されたマウス本体と、前記マウス本体から延びられたリード線と、前記リード線の末端に設置され、その表面に前記第１の位置決め部に対応して第２の位置決め部が設けられたコネクタとを含むマウス収納用位置決め構造を提供する。
【０００９】
前記構造にするように、使用者が使用を終了してパソコンホストの差込口から前記コネクタを取外すと、前記マウス本体の第１の位置決め部と前記コネクタの第２の位置決め部を対応に結合させることによって、前記コネクタを前記マウス本体の表面に位置決め、リード線の両端におけるマウス本体とコネクタとを一体に結合させ、携帯や収納し易いようにする。
【００１０】
本考案の特徴及び技術内容をより理解させるため、以下に本考案に関わる詳しい説明及び添付図面を参照するが、それらの添付図面が参考及び説明のみに使われ、本考案の主張範囲を狭義的に局限するものではないことは言うまでもない。
【考案を実施するための最良の形態】
【００１１】
先ず、図１及び図２に示すように、本考案は、マウス本体１と、リード線２と、コネクタ３とからなり、マウス本体１の底面後側には第１の位置決め部１１が設置され、この第１の位置決め部１１が係止溝からなり、マウス本体１の側面には収納溝１２が環装された。
【００１２】
リード線２は、マウス本体１から延びられ、その末端にはコネクタ３が接続された。
【００１３】
コネクタ３は、パソコンホストに応じUSB規格であって、コネクタ３の底面に第１の位置決め部１１に対応して第２の位置決め部３１が設けられ、この第２の位置決め部３１がスライド部からなり、丁度、第１の位置決め部１１に対応して係止され、コネクタ３をマウス本体１の底面に位置決めさせる。
【００１４】
前記構造を実施する際、使用者が使用を終了してパソコンホストの差込口からコネクタ３を取外すと、図１及び図２に示すように、リード線２をマウス本体１の側面に環装した収納溝１２に沿わせて巻き取り、リード線２をこの収納溝１２内に隠し収納させるとともに、マウス本体１とコネクタ３との間の距離を減少させ、さらに、コネクタ３の底面における第２の位置決め部３１をマウス本体１の第１の位置決め部１１に嵌め込み、リード線２の両端におけるマウス本体１とコネクタ３とを一体に結合させ、使用者が全体携帯（例えば、ジャケットの袋内に放置すること）や格納空間に収納し易いようにする。
【００１５】
本考案の第２実施例は、図３及び図４に示すように、前記構造において、コネクタ３の後端には線巻取装置３２が設けられ、リード線２の末端がこの線巻取装置３２内に固定された。
【００１６】
前記構造を実施する際、使用者が使用終了のマウスを回収しようとする時に、先ず、線巻取装置３２によりリード線２を早く巻き取り、リード線２をこの線巻取装置３２内に隠し収納させるとともに、マウス本体１とコネクタ３との間の距離を減少させる。
【００１７】
本考案の第３実施例は、図５及び図６に示すように、前記構造において、第２の位置決め部３１が線巻取装置３２の底部に設置され、第１の位置決め部１１がマウス本体１の底面前側に替えて設置されることが出来る。
【００１８】
前記構造を実施する際、使用者がリード線２をこの線巻取装置３２内に隠し収納してから、線巻取装置３２の底面における第２の位置決め部３１をマウス本体１の第１の位置決め部１１に嵌め込み、線巻取装置３２および接続されたコネクタ３をマウス本体１の底面に位置決め、結合することで、リード線２の両端におけるマウス本体１とコネクタ３とを一体に結合させ、使用者が全体携帯や格納空間に収納し易いようにする。
【００１９】
前記実施例から分かるように、本考案は以下の利点を備えている。
【００２０】
１．本考案は、第１の位置決め部１１と第２の位置決め部３１を対応に結合させることによって、リード線２の両端におけるマウス本体１とコネクタ３とを一体に結合させ、使用者が携帯や収納し易いようにマウスが使用されない状態での占め空間を短縮させる。
【００２１】
２．本考案は、コネクタ３の後端には線巻取装置３２が設けられ、リード線２を早く巻き取り、収納全体が必要とする時間を減少できる。
【００２２】
以上のように、単に本考案の好ましい具体的な実施例に過ぎなく、本考案の実用新案登録請求の範囲を局限するものではなく、いずれの当該分野における通常の知識を有する専門家が本考案の分野の中で、適当に変更や修飾などを実施できるが、それらの実施が本考案の主張範囲内に納入されるべきことは言うまでもない。
【図面の簡単な説明】
【００２３】
【図１】本考案の斜視図である。
【図２】本考案の斜視取付図である。
【図３】本考案に係る第２実施例の斜視図である。
【図４】本考案に係る第２実施例の斜視取付図である。
【図５】本考案に係る第３実施例の斜視図である。
【図６】本考案に係る第３実施例の斜視取付図である。
【符号の説明】
【００２４】
１    マウス本体
２    リード線
３    コネクタ
１１  第１の位置決め部
１２  収納溝
３１  第２の位置決め部
３２  線巻取装置
【図１】
0003133554.tif 000003
【図２】
0003133554.tif 000004
【図３】
0003133554.tif 000005
【図４】
0003133554.tif 000006
【図５】
0003133554.tif 000007
【図６】
0003133554.tif 000008
【手続補正書】
【提出日】平成19年5月14日(2007.5.14)
【手続補正１】
【補正対象書類名】実用新案登録請求の範囲
【補正対象項目名】全文
【補正方法】変更
【補正の内容】
【実用新案登録請求の範囲】
【請求項１】
表面には第１の位置を決める溝が設置されたマウス本体と、
前記マウス本体から延びられたリード線と、
前記リード線の末端に設置され、表面に前記第１の位置決め溝に対応して第２の位置を決める突起が設けられたコネクタとを含むマウス収納用位置決め構造。
【請求項２】
前記マウス本体の表面には、リード線を収納するための収納溝が環装されたことを特徴とする請求項１に記載のマウス収納用位置決め構造。
【請求項３】
前記コネクタの後端には線巻取装置が設けられ、リード線の末端がこの線巻取装置内に固定され、前記線巻取装置によりリード線を巻き取ることを特徴とする請求項１に記載のマウス収納用位置決め構造。
【請求項４】
前記第２の位置決め突起が、前記線巻取装置の底部に設けられたことを特徴とする請求項３に記載のマウス収納用位置決め構造。
【請求項５】
前記第１の位置決め溝は係止溝であり、前記第２の位置決め突起が第１の位置決め溝に対応するスライド部であることを特徴とする請求項１に記載のマウス収納用位置決め構造。
【請求項６】
前記マウス本体の底面には第１の位置決め溝が設置されたことを特徴とする請求項１に記載のマウス収納用位置決め構造。
【請求項７】
前記コネクタの底面には第２の位置決め突起が設置されたことを特徴とする請求項１に記載のマウス収納用位置決め構造。
【請求項８】
前記コネクタは、USB規格のコネクタであることを特徴とする請求項１に記載のマウス収納用位置決め構造。
【手続補正２】
【補正対象書類名】明細書
【補正対象項目名】０００８
【補正方法】変更
【補正の内容】
【０００８】
前記目的を達成するため、本考案は、表面には第１の位置決め溝が設置されたマウス本体と、前記マウス本体から延びられたリード線と、前記リード線の末端に設置され、その表面に前記第１の位置決め溝に対応して第２の位置決め突起が設けられたコネクタとを含むマウス収納用位置決め構造を提供する。
【手続補正３】
【補正対象書類名】明細書
【補正対象項目名】０００９
【補正方法】変更
【補正の内容】
【０００９】
前記構造にするように、使用者が使用を終了してパソコンホストの差込口から前記コネクタを取外すと、前記マウス本体の第１の位置決め溝と前記コネクタの第２の位置決め突起を対応に結合させることによって、前記コネクタを前記マウス本体の表面に位置決め、リード線の両端におけるマウス本体とコネクタとを一体に結合させ、携帯や収納し易いようにする。